(57)【要約】      （修正有）【課題】任意の管径のプラスチックコーティング園芸パイプと相互に組み合わせ、組み立てた上で使用することができる自在多機能クリップを提供する。【解決手段】自在多機能クリップは、上クリップ１２及び下クリップ１３を含み、上クリップ１２及び下クリップ１３は着脱式構造で連結されており、かつ脱落不能に自在回転する。【選択図】図１
0003228391.tif 000002
【実用新案登録請求の範囲】
【請求項１】
上クリップ（１２）及び下クリップ（１３）を含む自在多機能クリップにおいて、前記上クリップ（１２）及び下クリップ（１３）は着脱式構造で連結されており、かつ脱落不能に自在回転することを特徴とする、自在多機能クリップ。
【請求項２】
前記上クリップ（１２）は掛合部（３）と連結部（１４）から成り、
そのうち、掛合部（３）は「Ｃ」型で、プラスチックコーティング園芸パイプを差し込む挿入口が設けられており、その挿入口前端にはプラスチックコーティング園芸パイプをその方向から案内する案内開口（１）が設けられ、挿入口の内円壁上には掛止点（２）が設けられており、
連結部（１４）は柱体構造で、柱体前端には組立過程で案内するための案内キャップ（６）が設けられ、案内キャップ（６）上には組立後に自由状態まで跳ね返って脱落防止の目的を果たすための突起（５）が設けられ、柱体上にはさらに回避溝（４）が設けられていることを特徴とする、
請求項１に記載の自在多機能クリップ。
【請求項３】
前記掛止点（２）の数はプラスチックコーティング園芸パイプの管径に基づいて設定され、挿入口の内円壁の様々な位置に分布しており、プラスチックコーティング園芸パイプと接触し、かつそれを掛止するために用いられることを特徴とする、請求項２に記載の自在多機能クリップ。
【請求項４】
前記案内開口（１）が「八」の字型であることを特徴とする、請求項２に記載の自在多機能クリップ。
【請求項５】
前記案内キャップ（６）の全体が円錐形であることを特徴とする、請求項２に記載の自在多機能クリップ。
【請求項６】
前記下クリップ（１３）は掛合部（９）と空洞（１１）から成り、
そのうち、掛合部（９）は「Ｃ」型で、プラスチックコーティング園芸パイプを差し込む挿入口が設けられており、その挿入口前端にはプラスチックコーティング園芸パイプをその方向から案内する案内開口（７）が設けられ、挿入口の内円壁上には掛止点（８）が設けられており、
空洞（１１）は連結部（１４）と組み合わされ、空洞（１１）の中央部には、連結部（１４）と組み合わされ、連結部（１４）上の突起（５）が自由状態まで跳ね返った後に接触する空洞上平面（１０）が設けられていることを特徴とする、
請求項１に記載の自在多機能クリップ。
【請求項７】
前記掛止点（８）の数はプラスチックコーティング園芸パイプの管径に基づいて設定され、挿入口の内円壁の様々な位置に分布しており、プラスチックコーティング園芸パイプと接触し、かつそれを掛止するために用いられることを特徴とする、請求項６に記載の自在多機能クリップ。
【請求項８】
前記案内開口（７）が「八」の字型であることを特徴とする、請求項６に記載の自在多機能クリップ。
【考案の詳細な説明】
【技術分野】
【０００１】
本考案は、クリップ、特に自在多機能クリップに関する。
【背景技術】
【０００２】
人々の生活水準が向上し、環境意識が高まり続けるにつれて、環境美化が随所で見られるようになり、園芸植物が消費者の新たな人気商品となっている。成長速度が速く、制限なく随意に蔓延する一部の園芸植物については、今のところ、スチールパイプ支柱や環状リング、プラスチッククリップを含む花用支柱が用いられている。プラスチッククリップは、主にプラスチックコーティング園芸パイプの連結に用いられており、その園芸業界における応用は非常に幅広く、既存の構造も多種多様である。
【０００３】
特許文献１では、簡便ネット連結クリップが公開されており、簡便ネット連結クリップは、リングクリップと、ベースと、ボルトと、ナットから成る。リングクリップは円周角が２８０〜３００°のリング状弾性クリップであり、ベースはリングクリップの真下に位置し、リングクリップと一体であり、リングクリップ底面の中心部には段差のある貫通孔が設けられており、互いに９０°を成す２つのリングクリップとそのベースの２つの底面が接合され、ボルトの頭部及びボルトと係合するナットがそれぞれ２つのリングクリップ底面の貫通孔の段差内に位置しており、ボルトの軸は２つのリングクリップとベースの貫通孔内を貫通している。この構造は固定装着であり、取り外しができず、汎用性に乏しいという欠点がある。
【０００４】
特許文献２では、花支柱クリップ及び新型花用フレームが公開されており、花支柱クリップ及び新型花用フレームはクリップ本体を含み、前記クリップ本体は連結部と２つの掛合部を含み、２つの掛合部は連結部の片側に位置し、２つの掛合部と連結部の間には挿入口が形成され、掛合部上には掛止溝が開設されており、２つの掛合部の掛止溝が花支柱と掛合すると、花支柱と挿入口底部の間に花支柱リングを収容する穿孔が形成される。花用フレームは少なくとも２本の花支柱を含み、各花支柱上には複数の花支柱クリップが設けられ、花用フレーム上には花支柱リングが設けられ、花支柱リングはそれぞれ各花支柱クリップの穿孔内を貫通している。この構造のクリップは同じ側に設置されるので、汎用性に乏しいという欠点がある。
【０００５】
また、一部のプラスチッククリップは対称の２つの部分によって構成されており、組立時には、いずれもある方向から１つの固定された形状を挿入する。例えば、サイド方向から「Ｔ」型を挿入し、下方向から「一」型または「三角」型を挿入するのである。しかし、実際の使用においては、特定の角度で脱落する状況が生じるので、使用する製品で、本当の意味での自在回転を実現することはできない。また、このタイプのブラスチッククリップには、いずれも同じ直径のプラスチックコーティング園芸パイプとの組み合わせが採用されているが、実際の使用において、直径の異なるプラスチックコーティング園芸パイプと組み合わせて使用する状況が生じた場合は、使用のニーズを満たすことができない。
【先行技術文献】
【特許文献】
【０００６】
【特許文献１】中国特許ＺＬ２００８２００６４２８６.ｘ明細書
【特許文献２】中国特許ＺＬ２０１９２００５８４９０.９明細書
【考案の概要】
【考案が解決しようとする課題】
【０００７】
本考案は、上記の欠点を解決するために、自在多機能クリップを提供することを目的としている。
【課題を解決するための手段】
【０００８】
背景技術中に存在する欠点を克服するために、本考案でその技術的課題の解決に採用されているのは、以下の技術手法である。この自在多機能クリップは、上クリップ及び下クリップを含み、上クリップ及び下クリップは着脱式構造で連結されており、かつ脱落不能に自在回転する。
【０００９】
本考案の別の実施例によると、さらに前記上クリップは掛合部と連結部から成ることを含み、
そのうち、掛合部は「Ｃ」型で、プラスチックコーティング園芸パイプを差し込む挿入口が設けられており、その挿入口前端にはプラスチックコーティング園芸パイプをその方向から案内する案内開口が設けられ、挿入口の内円壁上には掛止点が設けられており、
連結部は柱体構造で、柱体前端には組立過程で案内するための案内キャップが設けられ、案内キャップ上には組立後に自由状態まで跳ね返って脱落防止の目的を果たすための突起が設けられ、柱体上にはさらに回避溝が設けられている。
【００１０】
本考案の別の実施例によると、さらに前記掛止点の数はプラスチックコーティング園芸パイプの管径に基づいて設定され、挿入口の内円壁の様々な位置に分布しており、プラスチックコーティング園芸パイプと接触し、かつそれを掛止するために用いられることを含む。
【００１１】
本考案の別の実施例によると、さらに前記案内開口が「八」の字型であることを含む。
【００１２】
本考案の別の実施例によると、さらに前記案内キャップの全体が円錐形であることを含む。
【００１３】
本考案の別の実施例によると、さらに前記下クリップは掛合部と空洞から成ることを含み、
そのうち、掛合部は「Ｃ」型で、プラスチックコーティング園芸パイプを差し込む挿入口が設けられており、その挿入口前端にはプラスチックコーティング園芸パイプをその方向から案内する案内開口が設けられ、挿入口の内円壁上には掛止点が設けられており、
空洞は連結部と組み合わされ、空洞の中央部には、連結部と組み合わされ、連結部上の突起が自由状態まで跳ね返った後に接触する空洞上平面が設けられている。
【００１４】
本考案の別の実施例によると、さらに前記掛止点の数はプラスチックコーティング園芸パイプの管径に基づいて設定され、挿入口の内円壁の様々な位置に分布しており、プラスチックコーティング園芸パイプと接触し、かつそれを掛止するために用いられることを含む。
【００１５】
本考案の別の実施例によると、さらに前記案内開口が「八」の字型であることを含む。
【考案の効果】
【００１６】
本考案の有益な効果は次の通り。この自在多機能クリップは、任意の管径のプラスチックコーティング園芸パイプと相互に組み合わせ、組み立てた上で使用することができ、様々な組み合わせの目的を果たす。
【図面の簡単な説明】
【００１７】
以下では、図面と実施例を結び付けて、本考案についてさらなる説明を行う。
【００１８】
【図１】本考案の構造概略図である。
【図２】図１中のＡ−Ａ方向における構造概略図である。
【図３】上クリップの構造概略図である。
【図４】図３中の別の面の構造概略図である。
【図５】上クリップの立体図の構造概略図である。
【図６】下クリップの構造概略図である。
【図７】図６中の別の面の構造概略図である。
【図８】下クリップの立体図の構造概略図である。
【図９】実施例の構造概略図である。
【図１０】図９中の別の面の構造概略図である。
【００１９】
図中：１、案内開口、２、掛止点、３、掛合部、４、回避溝、５、突起、６、案内キャップ、７、案内開口、８、掛止点、９、掛合部、１０、空洞上平面、１１、空洞、１２、上クリップ、１３、下クリップ、１４、連結部。
【考案を実施するための形態】
【００２０】
本考案の実施例の目的、技術手法及び長所をより明確にするために、以下では、本考案の実施例中の図面と結び付けて、本考案の実施例における技術手法に対して明瞭で完全な説明を行うが、もちろん、説明する実施例は本考案の一部の実施例であって、すべての実施例ではない。本考案の実施例に基づき、当業者が創造的な労働を行わないという前提において獲得したその他のすべての実施例は、本考案の保護範囲に属する。
【００２１】
この自在多機能クリップは、案内開口１、掛止点２、掛合部３、回避溝４、突起５、案内キャップ６、案内開口７、掛止点８、掛合部９、空洞上平面１０、空洞１１、上クリップ１２、下クリップ１３、連結部１４という部品により構成されている。
【００２２】
図１、２に示すように、図には上クリップ１２及び下クリップ１３が含まれており、上クリップ１２及び下クリップ１３は着脱式構造で連結されており、かつ脱落不能に自在回転する。例えば、図２に示すように、上クリップ１２は連結部材を介して下クリップ１３上の空洞内に挿入され、かつ脱落不能に自在回転することができる。
好適な例
図３、４、５に示すように、上クリップ１２は掛合部３と連結部１４から成り、掛合部３はプラスチックコーティング園芸パイプを連結するために用いられ、連結部１４は下クリップ１３を連結するために用いられる。
【００２３】
そのうち、掛合部３は「Ｃ」型で、プラスチックコーティング園芸パイプを差し込む挿入口が設けられており、掛合部３の直径はプラスチックコーティング園芸パイプより小さく、プラスチックの高い強度と際立った靱性を利用して、プラスチックコーティング園芸パイプをしっかりと掛止する。その挿入口前端にはプラスチックコーティング園芸パイプをその方向から案内する案内開口が１設けられ、挿入口の内円壁上には掛止点２が設けられており、
連結部１４は柱体構造で、柱体前端には組立過程で案内するための案内キャップ６が設けられ、案内キャップ６上には組立後に自由状態まで跳ね返って脱落防止の目的を果たすための突起５が設けられ、柱体上にはさらに回避溝４が設けられており、回避溝４は、上クリップ１２の連結部１４が下クリップ１３の空洞１１内に取り付けられると、円錐形の突起５に変形が生じる。突起５は、下クリップ１３と組み合わされて自由状態まで跳ね返った際に、突起平面が下クリップ１３の空洞上平面１０と接触し、脱落防止の目的を果たすために用いられ、また、この部品を支柱に掛止する負荷を別の部品に移動させることで、負荷を移動させる目的も果たすことができる。
【００２４】
好適な例
実際にプラスチックコーティング園芸パイプを使用する際には、その管径の大きさは同一ではないので、掛止点２が設けられている。掛止点２の数はプラスチックコーティング園芸パイプの管径に基づいて設定され、挿入口の内円壁の様々な位置に分布しており、プラスチックコーティング園芸パイプと接触し、かつそれを掛止するために用いられる。
【００２５】
好適な例
プラスチックコーティング園芸パイプを上クリップ１２の掛合部３内によりスムーズに案内するために、案内開口１は「八」の字型をしており、プラスチックコーティング園芸パイプをこの方向から案内するために用いられる。
【００２６】
好適な例
案内キャップ６は全体が円錐形である。円錐形状により、連結部１４をよりスムーズに下クリップ１３の空洞１１内に組み付けることができる。組立過程での案内に用いられ、下クリップ１３の空洞１１の押圧を受けると、突起５を案内して空洞１１をスムーズに通過させる。
【００２７】
好適な例
図６、７、８に示すように、下クリップ１３は掛合部９と空洞１１から成り、掛合部９はプラスチックコーティング園芸パイプを連結するために用いられ、空洞１１は上クリップ１２の連結部１４を連結するために用いられる。空洞１１は組立過程での案内に用いられ、上クリップ１２の突起５の押圧を受けると、突起５を案内して空洞１１をスムーズに通過させる。
【００２８】
そのうち、掛合部９は「Ｃ」型で、プラスチックコーティング園芸パイプを差し込む挿入口が設けられており、掛合部９の直径はプラスチックコーティング園芸パイプより小さく、プラスチックの高い強度と際立った靱性を利用して、プラスチックコーティング園芸パイプをしっかりと掛止する。その挿入口前端にはプラスチックコーティング園芸パイプをその方向から案内する案内開口７が設けられ、挿入口の内円壁上には掛止点８が設けられており、
空洞１１は連結部１４と組み合わされ、空洞１１の中央部には、連結部１４と組み合わされ、連結部１４上の突起５が自由状態まで跳ね返った後に接触する空洞上平面１０が設けられている。空洞上平面１０は、上クリップ１２と組み合わされた後、上クリップ１２の突起５が自由状態まで跳ね返ると、突起平面が下クリップ１３の空洞上平面１０と接触し、脱落防止の目的を果たすと同時に、この部品を支柱に掛止する負荷を別の部品に移動させることで、負荷を移動させる目的も果たすことができる。
【００２９】
好適な例
実際にプラスチックコーティング園芸パイプを使用する際には、その管径の大きさは同一ではないので、掛止点８が設けられている。掛止点８の数はプラスチックコーティング園芸パイプの管径に基づいて設定され、挿入口の内円壁の様々な位置に分布しており、プラスチックコーティング園芸パイプと接触し、かつそれを掛止するために用いられる。
【００３０】
好適な例
プラスチックコーティング園芸パイプを下クリップ１３の掛合部９内によりスムーズに案内するために、案内開口７は「八」の字型をしており、プラスチックコーティング園芸パイプをこの方向から案内するために用いられる。
【００３１】
実施例
図９、１０に示すように、上クリップ１２上の連結部１４は下クリップ１３の空洞１１内に組み付けられており、プラスチックの優れた靱性と強度を利用して、上クリップ１２中の円錐突起５を圧縮し、下クリップ１３の空洞１１内を通過させると、通過後、円錐突起５は空洞による制限を受けなくなり、自由状態に戻る。この時、突起の平面が空洞上平面１０と接触し、２つの部品が自在に回転し、しかも脱落しないという目的を達成する。
【００３２】
全体的な構造として、突起を圧迫する方式で、本当の意味での自在調節を解決しており、
上クリップ１２と下クリップ１３を切り離す必要がある場合は、クランプ装置によって案内キャップを挟むだけで、スムーズに取り外すことができる。
【００３３】
以上で述べたことは、本考案の好適な具体的実施形態にすぎず、本考案の保護範囲がこれに限定されるわけではない。当業者が、本考案で開示している技術の範囲内で、本考案の技術手法及びその考案の構想に基づいて同等の置換や変更を加えることは、すべて本考案の保護範囲内でカバーされるものとする。
【符号の説明】
【００３４】
１  案内開口
２  掛止点
３  掛合部
４  回避溝
５  突起
６  案内キャップ
７  案内開口
８  掛止点
９  掛合部
１０  空洞上平面
１１  空洞
１２  上クリップ
１３  下クリップ
１４  連結部
【図１】
0003228391.tif 000003
【図２】
0003228391.tif 000004
【図３】
0003228391.tif 000005
【図４】
0003228391.tif 000006
【図５】
0003228391.tif 000007
【図６】
0003228391.tif 000008
【図７】
0003228391.tif 000009
【図８】
0003228391.tif 000010
【図９】
0003228391.tif 000011
【図１０】
0003228391.tif 000012